【手続補正書】
【提出日】平成27年4月3日(2015.4.3)
【手続補正１】
【補正対象書類名】明細書
【補正対象項目名】０００６
【補正方法】変更
【補正の内容】
【０００６】
この発明にかかる画像読取装置は、上記目的を達成するために、光源の光を導光する長尺の導光体を有し、前記導光体により読み取り対象物に前記光を照射する照明手段と、入射面に入射した前記対象物からの反射光を集光してセンサー上に正立等倍像を形成する結像光学素子と、を備え、前記結像光学素子は、前記導光体に並設され、前記反射光を入射させる前記入射面に複数の第１レンズ面が前記導光体の長手方向と同方向に配列され、前記長手方向に直交する断面が前記入射面側に向かって先細りするくさび状の外形を有するレンズアレイと、前記レンズアレイと前記対象物との間に配置されて前記長手方向と同方向に複数の透孔を有するアパーチャー部が設けられ、前記レンズアレイの外形に沿った形状を有するとともに前記レンズアレイを位置決めするレンズアレイ位置決め部材と、を有していることを特徴としている。
【手続補正２】
【補正対象書類名】明細書
【補正対象項目名】０００７
【補正方法】変更
【補正の内容】
【０００７】
このように構成された発明では、レンズアレイ位置決め部材は、長手方向に直交する断面がくさび状の外形を有し、レンズアレイ位置決め部材の尖った先端側に各透孔が透設され、レンズアレイの各第１レンズ面が各透孔に対向するように、長手方向に沿ってレンズアレイがレンズアレイ位置決め部材により位置決めされている。したがって、レンズアレイに並設された照明手段の導光体を、読み取り対象物からの反射光が入射されるレンズアレイ位置決め部材の尖った先端側により近接して配置することができるので、照明手段の配置の自由度が高く、照明手段により読み取り対象物を効率よく照明することが可能な新規な構成の結像光学素子を備える画像読取装置を提供することができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、前記レンズアレイ位置決め部材の前記長手方向に直交する断面において、前記レンズアレイ位置決め部材の内側面は、前記複数の透孔を通過して前記複数の第１レンズ面に入射する前記反射光の光路の外側に配置されているとよい。
【手続補正６】
【補正対象書類名】明細書
【補正対象項目名】００１１
【補正方法】変更
【補正の内容】
【００１１】
このように構成すると、レンズアレイ位置決め部材の透孔に入射した読み取り対象物からの反射光が、レンズアレイ位置決め部材の内側面により反射されたり、吸収されたりすることにより、センサー上に形成される正立等倍像に誤差等が生じるのを防止することができる。
【手続補正７】
【補正対象書類名】明細書
【補正対象項目名】００１２
【補正方法】変更
【補正の内容】
【００１２】
また、前記レンズアレイは、その外側面に複数の凹部が形成され、前記レンズアレイ位置決め部材は、前記レンズアレイ位置決め部材が前記レンズアレイを位置決めする状態において、前記複数の凹部の少なくとも１つと係合する係合部が設けられているとよい。
【手続補正８】
【補正対象書類名】明細書
【補正対象項目名】００１３
【補正方法】変更
【補正の内容】
【００１３】
このように構成すると、レンズアレイ位置決め部材がレンズアレイを位置決めする状態において、該レンズアレイの外側面に形成された複数の凹部の少なくとも１つに、レンズアレイ位置決め部材に設けられた係合部が係合することにより、レンズアレイのレンズアレイ位置決め部材に対する位置決めが行われるので、非常に実用的である。
【手続補正９】
【補正対象書類名】明細書
【補正対象項目名】００１４
【補正方法】変更
【補正の内容】
【００１４】
また、前記レンズアレイは、射出成形により成形され、前記レンズアレイの前記複数の凹部を押圧することで射出成形金型から前記レンズアレイを取り出すとよい。
【手続補正１０】
【補正対象書類名】明細書
【補正対象項目名】００１５
【補正方法】変更
【補正の内容】
【００１５】
このように構成すると、レンズアレイ位置決め部材がレンズアレイを位置決めする状態において、射出成形に用いられる金型からレンズアレイを取り出すために該レンズアレイの外側面に形成された複数の凹部の少なくとも１つに、レンズアレイ位置決め部材に設けられた係合部が係合することにより、レンズアレイのレンズアレイ位置決め部材に対する位置決めが行われるので、レンズアレイに位置決め用の突起等を別途形成する必要がなく、非常に実用的である。
【手続補正１１】
【補正対象書類名】明細書
【補正対象項目名】００１６
【補正方法】変更
【補正の内容】
【００１６】
また、前記レンズアレイ位置決め部材は、前記導光体に対向する部分が前記長手方向に沿って面取りされているとよい。
【手続補正１２】
【補正対象書類名】明細書
【補正対象項目名】００１７
【補正方法】変更
【補正の内容】
【００１７】
このように構成すると、レンズアレイ位置決め部材の導光体に対向する部分が長手方向に沿って面取りされているため、導光体から読み取り対象物に向かって照射される光がレンズアレイ位置決め部材によって遮光されるのを抑制することができる。
【手続補正１３】
【補正対象書類名】明細書
【補正対象項目名】００３５
【補正方法】変更
【補正の内容】
【００３５】
照明手段３による照明光の照射位置の直下位置には、上記した凹溝２３がＸ方向に設けられており、レンズユニット４は、凹溝２３に嵌挿されることによりライトガイド３１に並設されている。レンズユニット４は、原稿ＯＢからの反射光を入射させる複数の第１レンズ面４１ａがライトガイド３１の長手方向と同じＸ方向に配列されて成る入射面を有するレンズアレイ４１と、レンズアレイ４１と原稿ＯＢとの間に配置されてＸ方向に複数の透孔４２ａが透設された入射側のアパーチャー部材４２（レンズアレイ位置決め部材）と、レンズアレイ４１とセンサー５との間に配置されてＸ方向に複数の透孔４３ａが透設された出射側のアパーチャー部材４３とを有し、入射面に入射した原稿ＯＢからの反射光を集光してセンサー５上に原稿ＯＢの正立等倍像を形成する。
【手続補正１４】
【補正対象書類名】特許請求の範囲
【補正対象項目名】全文
【補正方法】変更
【補正の内容】
【特許請求の範囲】
【請求項１】
光源の光を導光する長尺の導光体を有し、前記導光体により読み取り対象物に前記光を照射する照明手段と、
入射面に入射した前記対象物からの反射光を集光してセンサー上に正立等倍像を形成する結像光学素子と、
を備え、
前記結像光学素子は、
前記導光体に並設され、前記反射光を入射させる前記入射面に複数の第１レンズ面が前記導光体の長手方向と同方向に配列され、前記長手方向に直交する断面が前記入射面側に向かって先細りするくさび状の外形を有するレンズアレイと、
前記レンズアレイと前記対象物との間に配置されて前記長手方向と同方向に複数の透孔を有するアパーチャー部が設けられ、前記レンズアレイの外形に沿った形状を有するとともに前記レンズアレイを位置決めするレンズアレイ位置決め部材と、を有している、
ことを特徴とする画像読取装置。
【請求項２】
前記レンズアレイ位置決め部材の前記長手方向に直交する断面において、前記レンズアレイ位置決め部材の内側面は、前記複数の透孔を通過して前記複数の第１レンズ面に入射する前記反射光の光路の外側に配置されている、
ことを特徴とする請求項１に記載の画像読取装置。
【請求項３】
前記レンズアレイは、その外側面に複数の凹部が形成され、
前記レンズアレイ位置決め部材は、前記レンズアレイ位置決め部材が前記レンズアレイを位置決めする状態において、前記複数の凹部の少なくとも１つと係合する係合部が設けられている、
ことを特徴とする請求項１または請求項２に記載の画像読取装置。
【請求項４】
前記レンズアレイは、射出成形により成形され、前記レンズアレイの前記複数の凹部を押圧することで射出成形金型から前記レンズアレイを取り出す、
ことを特徴とする請求項３に記載の画像読取装置。
【請求項５】
前記レンズアレイ位置決め部材は、前記導光体に対向する部分が前記長手方向に沿って面取りされている、
ことを特徴とする請求項１から請求項４のいずれか一項に記載の画像読取装置。